(57)【要約】【課題】  本発明は、自動車の走行履歴及び顧客の利用履歴に応じた料金を設定することができる決済システム、端末装置及びその決済方法を提供することを目的とする。【解決手段】  端末装置７０は、第１の通信回線を介して走行記録装置８０との間で通信を行うことにより、走行記録装置８０から、走行記録装置８０が搭載された自動車４０の走行履歴情報を取得する第１の通信手段１９０、２００と、第２の通信回線１００を介してサーバ装置９０と通信を行うことにより、サーバ装置９０から、顧客の利用履歴情報を取得する第２の通信手段１９０、２００と、走行履歴情報及び利用履歴情報を用いて、走行履歴及び利用履歴に応じた料金を算定する料金算定手段１７０と、算出された料金を表示画面に表示する表示手段２２０とを備える。【選択図】  図１
2009110329.tif 000002
【特許請求の範囲】
【請求項１】
端末装置が、第１の通信回線を介して走行記録装置に接続されると共に、第２の通信回線を介してサーバ装置に接続された決済システムにおいて、
前記走行記録装置は、
前記走行記録装置が搭載された自動車の走行履歴情報を記憶する走行履歴記憶手段を備え、
前記サーバ装置は、
顧客の利用履歴情報を記憶する利用履歴記憶手段を備え、
前記端末装置は、
前記第１の通信回線を介して前記走行記録装置との間で通信を行うことにより、前記走行記録装置の前記走行履歴記憶手段から前記走行履歴情報を取得する第１の通信手段と、
前記第２の通信回線を介して前記サーバ装置と通信を行うことにより、前記サーバ装置の前記利用履歴記憶手段から前記利用履歴情報を取得する第２の通信手段と、
前記走行履歴情報及び前記利用履歴情報を用いて、走行履歴及び利用履歴に応じた料金を算定する料金算定手段と、
前記算出された料金を表示画面に表示する表示手段と
を備えることを特徴とする決済システム。
【請求項２】
前記料金算定手段は、
前記走行履歴に対応する暫定料金を算定した後、前記利用履歴に応じた割引率を決定し、前記割引率を前記暫定料金に乗算することにより、前記表示画面に表示するための前記料金を算定する
ことを特徴とする請求項１に記載の決済システム。
【請求項３】
前記第２の通信手段は、
前記料金算定手段によって算定された前記料金に関する情報を顧客情報として、前記第２の通信回線を介して前記サーバ装置に送信することにより、前記サーバ装置の前記利用履歴記憶手段に記憶されている前記利用履歴情報を更新する
ことを特徴とする請求項１に記載の決済システム。
【請求項４】
前記端末装置は、
前記走行履歴情報、前記利用履歴情報及び前記顧客情報を記憶する顧客情報記憶手段をさらに備え、
前記顧客情報記憶手段は、
前記顧客情報が前記サーバ装置に送信された後、前記走行履歴情報、前記利用履歴情報及び前記顧客情報を消去する
ことを特徴とする請求項３に記載の決済システム。
【請求項５】
前記端末装置は、
前記走行履歴情報を用いて、顧客に提供するための顧客提供情報を生成し、前記顧客提供情報を出力する出力手段
をさらに備えることを特徴する請求項１に記載の決済システム。
【請求項６】
第１の通信回線を介して走行記録装置に接続されると共に、第２の通信回線を介してサーバ装置に接続された端末装置において、
前記第１の通信回線を介して前記走行記録装置との間で通信を行うことにより、前記走行記録装置から、前記走行記録装置が搭載された自動車の走行履歴情報を取得する第１の通信手段と、
前記第２の通信回線を介して前記サーバ装置と通信を行うことにより、前記サーバ装置から、顧客の利用履歴情報を取得する第２の通信手段と、
前記走行履歴情報及び前記利用履歴情報を用いて、走行履歴及び利用履歴に応じた料金を算定する料金算定手段と、
前記算出された料金を表示画面に表示する表示手段と
を備えることを特徴とする端末装置。
【請求項７】
前記料金算定手段は、
前記走行履歴に対応する暫定料金を算定した後、前記利用履歴に応じた割引率を決定し、前記割引率を前記暫定料金に乗算することにより、前記表示画面に表示するための前記料金を算定する
ことを特徴とする請求項６に記載の端末装置。
【請求項８】
前記第２の通信手段は、
前記料金算定手段によって算定された前記料金に関する情報を顧客情報として、前記第２の通信回線を介して前記サーバ装置に送信することにより、前記サーバ装置に記憶されている前記利用履歴情報を更新する
ことを特徴とする請求項６に記載の端末装置。
【請求項９】
前記走行履歴情報、前記利用履歴情報及び前記顧客情報を記憶する顧客情報記憶手段をさらに備え、
前記顧客情報記憶手段は、
前記顧客情報が前記サーバ装置に送信された後、前記走行履歴情報、前記利用履歴情報及び前記顧客情報を消去する
ことを特徴とする請求項８に記載の端末装置。
【請求項１０】
前記走行履歴情報を用いて、顧客に提供するための顧客提供情報を生成し、前記顧客提供情報を出力する出力手段
をさらに備えることを特徴する請求項６に記載の端末装置。
【請求項１１】
第１の通信回線を介して走行記録装置に接続されると共に、第２の通信回線を介してサーバ装置に接続された端末装置の決済方法において、
前記第１の通信回線を介して前記走行記録装置との間で通信を行うことにより、前記走行記録装置から、前記走行記録装置が搭載された自動車の走行履歴情報を取得する第１の通信ステップと、
前記第２の通信回線を介して前記サーバ装置と通信を行うことにより、前記サーバ装置から、顧客の利用履歴情報を取得する第２の通信ステップと、
前記走行履歴情報及び前記利用履歴情報を用いて、走行履歴及び利用履歴に応じた料金を算定する料金算定ステップと、
前記算出された料金を表示画面に表示する表示ステップと
を備えることを特徴とする決済方法。
【請求項１２】
前記料金算定ステップは、
前記走行履歴に対応する暫定料金を算定した後、前記利用履歴に応じた割引率を決定し、前記割引率を前記暫定料金に乗算することにより、前記表示画面に表示するための前記料金を算定する
ことを特徴とする請求項１１に記載の決済方法。
【請求項１３】
前記料金算定ステップによって算定された前記料金に関する情報を顧客情報として、前記第２の通信回線を介して前記サーバ装置に送信することにより、前記サーバ装置に記憶されている前記利用履歴情報を更新する利用履歴情報更新ステップ
をさらに備えることを特徴とする請求項１１に記載の決済方法。
【請求項１４】
前記第１の通信ステップにおいて取得された前記走行履歴情報を記憶する走行履歴情報記憶ステップと、
前記第２の通信ステップにおいて取得された前記利用履歴情報を記憶する利用履歴情報記憶ステップと、
前記料金算定ステップにおいて算定された前記料金に関する情報を顧客情報として記憶する顧客情報記憶ステップと、
前記顧客情報が前記サーバ装置に送信された後、前記走行履歴情報、前記利用履歴情報及び前記顧客情報を消去する消去ステップと
をさらに備えることを特徴とする請求項１３に記載の決済方法。
【請求項１５】
前記走行履歴情報を用いて、顧客に提供するための顧客提供情報を生成し、前記顧客提供情報を出力する出力ステップ
をさらに備えることを特徴する請求項１１に記載の決済方法。
【請求項１６】
端末装置が、第１の通信回線を介して移動記録装置に接続されると共に、第２の通信回線を介してサーバ装置に接続された決済システムにおいて、
前記移動記録装置は、
前記移動記録装置が搭載された移動体の移動履歴情報を記憶する移動履歴記憶手段を備え、
前記サーバ装置は、
顧客の利用履歴情報を記憶する利用履歴記憶手段を備え、
前記端末装置は、
前記第１の通信回線を介して前記移動記録装置との間で通信を行うことにより、前記移動記録装置の前記移動履歴記憶手段から前記移動履歴情報を取得する第１の通信手段と、
前記第２の通信回線を介して前記サーバ装置と通信を行うことにより、前記サーバ装置の前記利用履歴記憶手段から前記利用履歴情報を取得する第２の通信手段と、
前記移動履歴情報及び前記利用履歴情報を用いて、移動履歴及び利用履歴に応じた料金を算定する料金算定手段と、
前記算出された料金を表示画面に表示する表示手段と
を備えることを特徴とする決済システム。
【請求項１７】
前記料金算定手段は、
前記移動履歴に対応する暫定料金を算定した後、前記利用履歴に応じた割引率を決定し、前記割引率を前記暫定料金に乗算することにより、前記表示画面に表示するための前記料金を算定する
ことを特徴とする請求項１６に記載の決済システム。
【請求項１８】
前記第２の通信手段は、
前記料金算定手段によって算定された前記料金に関する情報を顧客情報として、前記第２の通信回線を介して前記サーバ装置に送信することにより、前記サーバ装置の前記利用履歴記憶手段に記憶されている前記利用履歴情報を更新する
ことを特徴とする請求項１６に記載の決済システム。
【請求項１９】
前記端末装置は、
前記移動履歴情報、前記利用履歴情報及び前記顧客情報を記憶する顧客情報記憶手段をさらに備え、
前記顧客情報記憶手段は、
前記顧客情報が前記サーバ装置に送信された後、前記移動履歴情報、前記利用履歴情報及び前記顧客情報を消去する
ことを特徴とする請求項１８に記載の決済システム。
【請求項２０】
前記端末装置は、
前記移動履歴情報を用いて、顧客に提供するための顧客提供情報を生成し、前記顧客提供情報を出力する出力手段
をさらに備えることを特徴する請求項１６に記載の決済システム。
【発明の詳細な説明】
【技術分野】
【０００１】
本発明は、決済システム、端末装置及びその決済方法に関する。
【背景技術】
【０００２】
近年、運搬業者が自動車及び運転者を顧客に貸与することにより、荷物を運搬するサービスを顧客に提供する運搬サービスが提案されている。具体的には、運搬業者の運転者が、顧客に代わって、荷物を搭載した自動車を運転することにより、荷物を運搬元から運搬先に運搬する。
かかる運搬サービスに要した料金の支払いについては、作業の終了場所である運搬先で、運搬業者の運転者が顧客に料金を提示すると、顧客は、現金又はクレジットカードを運転者に渡すことにより、運搬業者との間で決済を行う。
かかる決済を実現するための決済システムとしては、種々のシステムを適用することができる（例えば、特許文献１参照）。
【特許文献１】特許３７９２６５０号
【発明の開示】
【発明が解決しようとする課題】
【０００３】
本発明は、自動車の走行履歴及び顧客の利用履歴に応じた料金を設定することができる決済システム、端末装置及びその決済方法を提供することを目的とする。
【課題を解決するための手段】
【０００４】
本発明の一態様による決済システムは、
端末装置が、第１の通信回線を介して走行記録装置に接続されると共に、第２の通信回線を介してサーバ装置に接続された決済システムにおいて、
前記走行記録装置は、
前記走行記録装置が搭載された自動車の走行履歴情報を記憶する走行履歴記憶手段を備え、
前記サーバ装置は、
顧客の利用履歴情報を記憶する利用履歴記憶手段を備え、
前記端末装置は、
前記第１の通信回線を介して前記走行記録装置との間で通信を行うことにより、前記走行記録装置の前記走行履歴記憶手段から前記走行履歴情報を取得する第１の通信手段と、
前記第２の通信回線を介して前記サーバ装置と通信を行うことにより、前記サーバ装置の前記利用履歴記憶手段から前記利用履歴情報を取得する第２の通信手段と、
前記走行履歴情報及び前記利用履歴情報を用いて、走行履歴及び利用履歴に応じた料金を算定する料金算定手段と、
前記算出された料金を表示画面に表示する表示手段と
を備える。
【０００５】
また本発明の一態様による端末装置は、
第１の通信回線を介して走行記録装置に接続されると共に、第２の通信回線を介してサーバ装置に接続された端末装置において、
前記第１の通信回線を介して前記走行記録装置との間で通信を行うことにより、前記走行記録装置から、前記走行記録装置が搭載された自動車の走行履歴情報を取得する第１の通信手段と、
前記第２の通信回線を介して前記サーバ装置と通信を行うことにより、前記サーバ装置から、顧客の利用履歴情報を取得する第２の通信手段と、
前記走行履歴情報及び前記利用履歴情報を用いて、走行履歴及び利用履歴に応じた料金を算定する料金算定手段と、
前記算出された料金を表示画面に表示する表示手段と
を備える。
【０００６】
また本発明の一態様による決済方法は、
第１の通信回線を介して走行記録装置に接続されると共に、第２の通信回線を介してサーバ装置に接続された端末装置の決済方法において、
前記第１の通信回線を介して前記走行記録装置との間で通信を行うことにより、前記走行記録装置から、前記走行記録装置が搭載された自動車の走行履歴情報を取得する第１の通信ステップと、
前記第２の通信回線を介して前記サーバ装置と通信を行うことにより、前記サーバ装置から、顧客の利用履歴情報を取得する第２の通信ステップと、
前記走行履歴情報及び前記利用履歴情報を用いて、走行履歴及び利用履歴に応じた料金を算定する料金算定ステップと、
前記算出された料金を表示画面に表示する表示ステップと
を備える。
【０００７】
また本発明の一態様による決済システムは、
端末装置が、第１の通信回線を介して移動記録装置に接続されると共に、第２の通信回線を介してサーバ装置に接続された決済システムにおいて、
前記移動記録装置は、
前記移動記録装置が搭載された移動体の移動履歴情報を記憶する移動履歴記憶手段を備え、
前記サーバ装置は、
顧客の利用履歴情報を記憶する利用履歴記憶手段を備え、
前記端末装置は、
前記第１の通信回線を介して前記移動記録装置との間で通信を行うことにより、前記移動記録装置の前記移動履歴記憶手段から前記移動履歴情報を取得する第１の通信手段と、
前記第２の通信回線を介して前記サーバ装置と通信を行うことにより、前記サーバ装置の前記利用履歴記憶手段から前記利用履歴情報を取得する第２の通信手段と、
前記移動履歴情報及び前記利用履歴情報を用いて、移動履歴及び利用履歴に応じた料金を算定する料金算定手段と、
前記算出された料金を表示画面に表示する表示手段と
を備える。
【発明の効果】
【０００８】
本発明の決済システム、端末装置及びその決済方法によれば、自動車の走行履歴顧客及び顧客の利用履歴に応じた料金を設定することができる。
【発明を実施するための最良の形態】
【０００９】
以下、本発明の実施の形態について図面を参照して説明する。
図１に、本発明の実施の形態による決済システム１０の構成を示す。本実施の形態の場合、顧客２０は、例えば引越しや撮影業務などの際に必要となる種々の運搬作業を行うため、運搬業者３０に対して運搬サービスの提供を受けることを依頼する。
運搬業者３０は、運搬サービスを提供するための自動車４０及び運転者５０を選定し、顧客２０に貸与する。運搬業者３０の運転者５０は、作業の開始場所である運搬元（図示せず）において、必要に応じて荷物を自動車４０に積み込む。その後、運転者５０は、荷物を搭載した自動車４０を運転することにより、荷物を運搬先６０に運搬し、作業の終了場所である運搬先６０において、必要に応じて荷卸しを行って作業を終わらせる。
【００１０】
作業の終了後、運転者５０は、運搬先６０において、端末装置としての携帯用決済端末７０を入力操作することにより、運搬サービスに要した料金を算出し、当該算出された料金を顧客２０に提示する。顧客２０は、現金又はクレジットカードを運転者５０に渡すことにより、運搬業者３０との間で決済を行う。
【００１１】
ところで、自動車４０には、走行記録装置（移動記録装置）としてのドライブレコーダ８０が搭載され、当該ドライブレコーダ８０は、自動車４０の走行履歴（移動履歴）に関する情報からなる走行履歴情報（移動履歴情報）を格納する。この走行履歴情報は、作業の開始場所である運搬元（図示せず）から作業の終了場所である運搬先６０までにおける、自動車４０の走行履歴からなり、例えば走行距離、走行時間、走行ルートなどの種々の情報を有する。
【００１２】
携帯用決済端末７０は、運搬サービスに要した料金を計算する際には、自動車４０に搭載されたドライブレコーダ８０との間で無線通信を行うことにより、ドライブレコーダ８０から走行履歴情報を取得する。そして、携帯用決済端末７０は、この走行履歴情報を用いて料金を算出する。
【００１３】
携帯用決済端末７０は、例えば、走行時間が予定走行時間を超えた場合には、予定走行時間に対応する料金に対して割増料金を加算し、走行時間が予定走行時間を下回った場合には、予定走行時間に対応する料金に対して割引料金を減算する。なお、携帯用決済端末７０は、走行時間ではなく、走行距離や走行ルートなど、他の種々の情報を用いて料金を算出することもできる。
【００１４】
因みに、本実施の形態の場合、携帯用決済端末７０とドライブレコーダ８０とを無線接続したが、これらを有線接続することも可能である。すなわち、携帯用決済端末７０とドライブレコーダ８０とを接続するための第１の通信回線は、無線接続又は有線接続のいずれであっても良い。
【００１５】
ところで、運搬業者３０の会社内には、サーバ装置９０が設置され、当該サーバ装置９０は、顧客毎の過去の利用履歴に関する情報からなる利用履歴情報を格納する。この利用履歴情報は、顧客が過去に運搬業者３０を利用した利用履歴からなり、例えば利用回数、利用金額、嗜好、性別、年齢、エリアなどの種々の情報を有する。
【００１６】
また、サーバ装置９０は、例えば電話回線やインターネット回線などからなる、第２の通信回線としての通信回線１００に接続され、携帯用決済端末７０は、この通信回線１００に無線接続されている。これにより、携帯用決済端末７０は、通信回線１００を介してサーバ装置９０との間で通信を行うことができる。
【００１７】
携帯用決済端末７０は、運搬サービスに要した料金を計算する際には、運搬業者３０の会社内に設置されているサーバ装置９０との間で通信を行うことにより、サーバ装置９０から顧客２０固有の利用履歴情報を取得する。そして、携帯用決済端末７０は、上述の走行履歴情報を用いて料金を算出した後、利用履歴情報を用いて料金の割引率を決定し、当該割引率を料金に乗算することにより、最終的な料金を算出する。
携帯用決済端末７０は、例えば過去の利用回数や利用金額が大きい場合には、割引率を大きくし、過去の利用回数や利用金額が小さい場合には、割引率を小さくするようにして、割引率を決定する。
【００１８】
因みに、本実施の形態の場合、携帯用決済端末７０と通信回線１００とを無線接続したが、これらを有線接続することも可能である。
携帯用決済端末７０は、最終的な料金を表示画面に表示することにより、運搬サービスに要した料金を顧客２０に提示する。顧客２０は、現金又はクレジットカードを運転者５０に渡すことにより、運搬業者３０との間で決済を行う。
携帯用決済端末７０は、決済が終了した後、顧客２０の売上などに関する顧客情報を、通信回線１００を介してサーバ装置９０に送信することにより、サーバ装置９０に格納されている、顧客２０の利用履歴情報を更新する。なお、携帯用決済端末７０は、顧客情報の漏洩を防止することを目的として、顧客情報をサーバ装置９０に送信した後、当該顧客情報を消去する。
サーバ装置９０は、複数の携帯用決済端末７０から送信されてくる、売上に関する顧客情報を受信し解析することにより、運搬業者３０全体の売上金額をリアルタイムに把握することができる。
【００１９】
ここで、携帯用決済端末７０の回路構成を示す図２と、ドライブレコーダ８０の回路構成を示す図３とを用いて、決済システム１０における決済をより具体的に説明する。
上述したように、運転者５０は、作業の開始場所である運搬元（図示せず）において、必要に応じて荷物を自動車４０に積み込む。その後、運転者５０は、荷物を搭載した自動車４０を運転することにより、荷物を運搬先６０に運搬し、作業の終了場所である運搬先６０において、必要に応じて荷卸しを行う。
【００２０】
ドライブレコーダ８０は、自動車４０の走行中、ＧＰＳ衛星から送信される電波をアンテナ１１０によって受信し、得られた受信信号を送受信処理部１２０に与える。送受信処理部１２０は、この受信信号を復調することにより、受信データを生成し、これを制御部１３０に出力する。
【００２１】
制御部１３０は、この受信データを用いて、例えば走行距離、走行時間、走行ルートなどの走行履歴情報を順次生成し、これを走行履歴記憶手段（移動履歴記憶手段）としての記憶部１４０に記憶していく。これにより、自動車４０が運搬先６０に到着した場合には、記憶部１４０には、運搬元から運搬先６０までの走行履歴情報が格納されていることになる。
【００２２】
なお、制御部１３０は、入力部１５０における運転者の入力操作に応じて、各部の動作を制御し、必要に応じて各種情報を表示部１６０に表示する。
【００２３】
この状態において、携帯用決済端末７０の制御部１７０は、運転者５０が例えばキーボードやタッチスクリーンなどからなる入力部１８０を入力操作することにより、料金の清算を行うことが通知されると、送受信処理部１９０に対して料金の精算の動作を行わせる。
すなわち、送受信処理部１９０は、自動車４０の走行履歴情報をドライブレコーダ８０に問い合わせるための第１の送信信号を生成し、これをアンテナ２００から送信する。また、送受信処理部１９０は、顧客２０の利用履歴情報をサーバ装置９０に問い合わせるための第２の送信信号を生成し、これをアンテナ２００から送信する。
【００２４】
携帯用決済端末７０から送信されてくる第１の送信信号は、ドライブレコーダ８０のアンテナ１１０によって受信され、このアンテナ１１０によって受信された受信信号は、送受信処理部１２０に入力される。送受信処理部１２０は、この受信信号を復調して受信データを生成し、これを制御部１３０に出力することにより、携帯用決済端末７０から走行履歴情報についての問い合わせがあったことを制御部１３０に通知する。
【００２５】
制御部１３０は、記憶部１４０から走行履歴情報を読み出し、これを送受信処理部１２０に与える。送受信処理部１２０は、この走行履歴情報を復調することにより送信信号を生成し、これをアンテナ１１０から送信する。
【００２６】
ドライブレコーダ８０から送信されてくる送信信号は、携帯用決済端末７０のアンテナ２００によって受信され、このアンテナ２００によって受信された受信信号は、送受信処理部１９０に入力される。送受信処理部１９０は、この受信信号を復調して走行履歴情報を生成し、これを制御部１７０に出力する。制御部１７０は、この走行履歴情報を顧客情報記憶手段としての記憶部２１０に記憶する。
【００２７】
一方、携帯用決済端末７０から送信されてくる第２の送信信号は、通信回線１００を介してサーバ装置９０によって受信される。サーバ装置９０は、この第２の送信信号を受信すると、利用履歴記憶手段としての記憶部（図示せず）から顧客２０の利用履歴情報を読み出す。そして、サーバ装置９０は、この利用履歴情報に応じた送信信号を生成し、これを通信回線１００を介して携帯用決済端末７０に送信する。
【００２８】
サーバ装置９０から送信されてくる送信信号は、携帯用決済端末７０のアンテナ２００によって受信され、このアンテナ２００によって受信された受信信号は、送受信処理部１９０に入力される。送受信処理部１９０は、この受信信号を復調して利用履歴情報を生成し、これを制御部１７０に出力する。制御部１７０は、この利用履歴情報を記憶部２１０に記憶する。
【００２９】
そして、制御部１７０は、記憶部２１０から走行履歴情報及び利用履歴情報を読み出し、このうち走行履歴情報を用いて、例えば走行時間や走行距離などの走行履歴に応じた料金（暫定料金）を算出する。
【００３０】
次いで、制御部１７０は、利用履歴情報を用いて、例えば過去の利用回数や利用金額などに応じた割引率を決定し、当該割引率を料金に乗算することにより、最終的な料金を算出する。この場合、制御部１７０は、この最終的な料金すなわち売上を顧客情報として記憶部２１０に記憶させる。
【００３１】
また、制御部１７０は、この最終的な料金を表示手段としての表示部２２０に表示することにより、運搬サービスに要した料金を顧客２０に提示する。その際、制御部１７０は、例えば自動車４０の走行ルートを地図上に表示した地図画像などからなる走行明細をプリント部２３０から出力し、当該走行明細を顧客２０に提供しても良い。この場合、料金算定の根拠をより具体的に顧客２０に提示することができる。
【００３２】
携帯用決済端末７０の制御部１７０は、顧客２０が運転者５０に現金を渡した場合には、入力部１８０における運転者５０の入力操作に基づいて決済を行い、プリント部２３０から領収書を出力する。その際、制御部１７０は、顧客２０の利用履歴情報から得られる、当該顧客２０の嗜好、性別、年齢、エリアなどの属性情報に基づいて、広告を作成し、これを領収書に印字するようにしても良い。
【００３３】
これに対して、制御部１７０は、顧客２０が運転者５０にクレジットカードを渡した場合には、運転者５０がクレジットカードをカード読取部２４０にセットすることにより決済を行い、プリント部２３０からクレジットカード利用明細を発行する。
制御部１７０は、決済が終了した後、記憶部２１０から顧客２０の売上に関する顧客情報を読み出し、これを送受信処理部１９０、アンテナ２００及び通信回線１００を介してサーバ装置９０に送信することにより、サーバ装置９０に格納されている、顧客２０の利用履歴情報を更新する。なお、制御部１７０は、顧客情報の漏洩を防止することを目的として、顧客情報をサーバ装置９０に送信した後、記憶部２１０から顧客情報、走行履歴情報及び利用履歴情報を消去する。
サーバ装置９０は、複数の携帯用決済端末７０から送信されてくる、売上に関する顧客情報を受信し解析することにより、運搬業者３０全体の売上金額をリアルタイムに把握する。
【００３４】
ここで図４に、本実施の形態による決済処理手順ＲＴ１０を示す。この図４において、携帯用決済端末７０の制御部１７０は、決済処理手順ＲＴ１０に入ると、ステップＳＰ１０において、運転者５０が入力部１８０を入力操作することにより、料金の精算を行うことを通知されると、料金の精算を開始する。
【００３５】
ステップＳＰ２０において、携帯用決済端末７０の制御部１７０は、自動車４０に搭載されたドライブレコーダ８０との間で無線通信を行うことにより、自動車４０の走行履歴情報をドライブレコーダ８０に問い合わせる。
【００３６】
ステップＳＰ３０において、携帯用決済端末７０の制御部１７０は、ドライブレコーダ８０から送られてくる走行履歴情報を受信し、これを記憶部２１０に記憶する。
【００３７】
ステップＳＰ４０において、携帯用決済端末７０の制御部１７０は、運搬業者３０の会社内に設置されたサーバ装置９０との間で通信回線１００を介して通信を行うことにより、顧客２０の利用履歴情報をサーバ装置９０に問い合わせる。
【００３８】
ステップＳＰ５０において、携帯用決済端末７０の制御部１７０は、サーバ装置９０から送られてくる利用履歴情報を受信し、これを記憶部２１０に記憶する。
【００３９】
ステップＳＰ６０において、携帯用決済端末７０の制御部１７０は、記憶部２１０から走行履歴情報及び利用履歴情報を読み出し、これら走行履歴情報及び利用履歴情報を用いて、走行履歴及び利用履歴に応じた料金（売上）を算出する。この場合、制御部１７０は、この算出された料金を顧客情報として記憶部２１０に記憶する。
【００４０】
ステップＳＰ７０において、携帯用決済端末７０の制御部１７０は、この算出された料金を表示部２２０に表示し、運搬サービスに要した料金を顧客２０に提示することにより、決済を行う。
【００４１】
ステップＳＰ８０において、携帯用決済端末７０の制御部１７０は、記憶部２１０から顧客情報を読み出し、これを送受信処理部１９０、アンテナ２００及び通信回線１００を介してサーバ装置９０に送信することにより、サーバ装置９０に格納されている、顧客２０の利用履歴情報を更新する。
【００４２】
ステップＳＰ９０において、携帯用決済端末７０の制御部１７０は、顧客情報の漏洩を防止することを目的として、記憶部２１０から顧客情報、走行履歴情報及び利用履歴情報を消去し、ステップＳＰ１００に移って、決済処理手順ＲＴ１０を終了する。
【００４３】
このように本実施の形態によれば、自動車４０の走行履歴情報及び顧客２０の利用履歴情報を用いて、自動車４０の走行履歴及び顧客２０の利用履歴に応じた料金を設定することができる。すなわち、自動車４０の走行履歴及び顧客２０の利用履歴に関連付けられた料金を、運搬サービス毎に適応的に設定することができ、顧客サービスを一段と向上させることができる。
【００４４】
なお、上述の実施の形態は一例であって、本発明を限定するものではない。例えば、ドライブレコーダ８０の制御部１３０は、ＧＰＳ衛星の電波を受信することにより得られた受信信号を用いて、走行履歴情報を生成したが、自動車４０内部に設置されている例えば速度センサなどの装置から得られる情報を用いて、走行履歴情報を生成し記憶部１４０に記憶しても良い。
【００４５】
また、上述の実施の形態においては、第１の通信手段として、送受信処理部１９０及びアンテナ２００を適用したが、第１の通信回線を介してドライブレコーダ８０との間で通信を行うことにより、ドライブレコーダ８０の記憶部１４０から走行履歴情報を取得する他の種々の第１の通信手段を適用しても良い。
【００４６】
また、上述の実施の形態においては、第２の通信手段として、送受信処理部１９０及びアンテナ２００を適用したが、通信回線１００を介してサーバ装置９０と通信を行うことにより、サーバ装置９０の記憶部（図示せず）から利用履歴情報を取得する他の種々の第２の通信手段を適用しても良い。
【００４７】
また、上述の実施の形態においては、料金算定手段として、制御部１７０を適用したが、走行履歴情報及び利用履歴情報を用いて、走行履歴及び利用履歴に応じた料金を算定する他の種々の料金算定手段を適用しても良い。
【００４８】
また、上述の実施の形態においては、出力手段として、プリント部２３０を適用したが、走行履歴情報を用いて、顧客に提供するための顧客提供情報として、例えば走行明細を生成し、これを出力する他の種々の出力手段を適用することも可能である。
【００４９】
さらに、運転者５０は、運搬作業を行う前に、携帯用決済端末７０を入力操作することにより、運搬サービスに要する見積金額を算出し、当該算出された見積金額を顧客２０に提示するようにしても良い。この場合、携帯用決済端末７０は、運搬業者３０の会社内に設置されているサーバ装置９０との間で通信を行うことにより、サーバ装置９０から例えば顧客２０固有の利用履歴情報を取得し、この利用履歴情報を用いて見積金額を算出する。
【００５０】
さらに、この決済システム１０は、運搬サービスに限らず、例えば物品販売サービスなど、他の種々のサービスに適用することができる。また、携帯用決済端末７０は、運搬業者３０に限らず、他の種々の物品販売業者によって同時に使用されても良く、この場合、運搬業者３０の会社内に設置されているサーバ装置９０は、各業者間で共有されることになる。
【００５１】
さらに、上述の実施の形態においては、移動体が自動車４０である場合について述べたが、例えば人間や電車など、他の種々の移動体を適用しても良い。
さらに、上述の実施の形態においては、移動記録装置として、ドライブレコーダ８０を適用したが、例えば移動体が人間である場合には、携帯端末を適用すれば良い。
【図面の簡単な説明】
【００５２】
【図１】本発明の実施の形態による決済システムの構成を示すブロック図である。
【図２】同決済システムにおける携帯用決済端末の構成を示すブロック図である。
【図３】同決済システムにおけるドライブレコーダの構成を示すブロック図である。
【図４】本発明の実施の形態による決済処理手順を示すフローチャートである。
【符号の説明】
【００５３】
１０  決済システム
７０  携帯用決済端末
８０  ドライブレコーダ
９０  サーバ装置
１００  通信回線
１１０、２００  アンテナ
１２０、１９０  送受信処理部
１３０、１７０  制御部
１４０、２１０  記憶部
１５０、１８０  入力部
１６０、２２０  表示部
２３０  プリント部
２４０  カード読取部
【図１】
2009110329.tif 000003
【図２】
2009110329.tif 000004
【図３】
2009110329.tif 000005
【図４】
2009110329.tif 000006